(57)【要約】【課題】前面パネルが長手方向中間部において過度に浮いてしまうことを防止可能な空気調和機の室内機を提供する。【解決手段】室内機１は、本体１０の前面に取り付けられる開閉可能な前面パネル２０と、前面パネル２０の裏面に係合して固定されるとともに、前面パネル２０が閉の際に本体の１０の前面に係合する中間取付部３１、３２Ｌ、３２Ｒと、を備える。本体１０は、長手方向における中間部に設けられた本体側係合部１０ｅ、１０ｆを有する。中間取付部３１は、本体側係合部１０ｅ、１０ｆと係合して本体１０の前面から離れる方向への中間取付部３１の移動を規制する中間係合部３３ｂを有する。【選択図】図６
2010065904.tif 000002
【特許請求の範囲】
【請求項１】
本体（１０）の前面に取り付けられる開閉可能な前面パネル（２０）と、
前記前面パネルの裏面に係合して固定されるとともに、当該前面パネルが閉の際に前記本体の前面に係合する中間取付部（３１、３２Ｌ、３２Ｒ）と、
を備え、
前記本体は、長手方向における中間部に設けられた本体側係合部（１０ｅ、１０ｆ）を有し、
前記中間取付部は、前記本体側係合部と係合して前記本体の前面から離れる方向への当該中間取付部の移動を規制する中間係合部（３３ｂ）を有する
空気調和機の室内機（１）。
【請求項２】
前記本体の前面における長手方向の中間部に設けられた表示部（４２）を備え、
前記本体側係合部は、前記長手方向における両端部よりも前記表示部に近い位置に設けられている
請求項１に記載の空気調和機の室内機。
【請求項３】
前記中間取付部の前記前面パネルに対する係合部は、前記前面パネルが閉の際に、前方、側方および下方から視認できない位置で前記前面パネルに係合している
請求項１又は請求項２に記載の空気調和機の室内機。
【請求項４】
前記前面パネルは、透明部材で構成され、当該前面パネルの裏面に、前記中間取付部が前面から見えなくなる色彩が付された意匠層が設けられており、
前記意匠層は、前記表示部からの光が通過可能な層である
請求項１〜３のいずれか一項に記載の空気調和機の室内機。
【請求項５】
前記中間係合部は、前記表示部に前記意匠層が当接した状態で、前記本体の前面から離れる方向への前記中間取付部の移動を規制する
請求項４に記載の空気調和機の室内機。
【請求項６】
前記本体側係合部および前記中間係合部は、前記長手方向における前記表示部の両側に設けられている
請求項１〜５のいずれか一項に記載の空気調和機の室内機。
【請求項７】
前記中間取付部は、前記中間係合部を有する第１取付板（３１）と、一対の第２取付板（３２Ｌ、３２Ｒ）とを有して構成され、
前記第１取付板は、前記長手方向における略中央部に配置されて当該前面パネルの上部に係合する本体板部（３３）と、当該本体板部から前記長手方向の両側に向かってそれぞれ延びる一対の延設部（３４）と、を有し、
前記第２取付板は、前記前面パネルの裏面との間に前記延設部を挟んで前記前面パネルに係合する、
請求項１〜６のいずれか一項に記載の空気調和機の室内機。
【請求項８】
前記前面パネルは、前面板部（２１）と、前記前面板部における上部において前記本体側に屈曲する上面板部（２２）と、前記長手方向の両端部において前記本体側に屈曲する一対の側面板部（２３）と、前記側面板部の下部において当該側面板部の裏面側に折り返された折り返し部（２４）と、を有し、
前記中間取付部は、前記上面板部に設けられた係合部（２２ａ〜２２ｈ）および前記折り返し部に設けられた係合部（２６ａ）に対して係合することで前記前面パネルに固定されている
請求項１〜７のいずれか一項に記載の空気調和機の室内機。
【発明の詳細な説明】
【技術分野】
【０００１】
本発明は、本体の前面に表示部が設けられ、当該本体の前面が前面パネルで覆われている空気調和機の室内機に関する。
【背景技術】
【０００２】
従来、本体の前面が前面パネルで覆われている空気調和機の室内機として、特許文献１に記載のものが知られている。
この室内機においては、前面パネルは、不透明パネルと、透明パネルと、支持部とからなり、前記透明パネルは前記不透明パネルに対して本体側から取り付けられ、前記支持部は前記不透明パネルを本体に回動自在に軸支するよう前記不透明パネルに設けられている。当該支持部の支軸は、前記前面パネルにおける上部の両端部に配置されており、室内機の本体の上部両端部に設けられた軸受けに回動可能に軸支されている。
また、本体の前面における下部には、発光素子が設置されており、前面パネルを閉じた状態で前面パネルの下部に形成された発光窓から当該発光素子の光が見えるようになっている。
【０００３】
【特許文献１】特開２００７−２２５２５３
【発明の開示】
【発明が解決しようとする課題】
【０００４】
しかしながら、上記従来の室内機の構成では、前面パネルは長手方向両端部において支持部を介して本体に取り付けられているにすぎないため、長手方向の中間部において、前面パネルと本体前面との間隔を適宜位置に確実に保持することが困難である。例えば、前面パネルに作用する応力や経年劣化等により撓みが発生しやすく、前面パネルの長手方向の中間部が、本体の前面から過度に浮いてしまうおそれがある。この場合、室内機の意匠性を損なうなど、問題となる。
【０００５】
そこで、この発明は、上記のような課題を解決するためになされたものであり、前面パネルが長手方向中間部において過度に浮いてしまうことを防止可能な空気調和機の室内機を提供することを目的とする。
【課題を解決するための手段】
【０００６】
第１の発明の空気調和機の室内機は、本体の前面に取り付けられる開閉可能な前面パネルと、前記前面パネルの裏面に係合して固定されるとともに、当該前面パネルが閉の際に前記本体の前面に係合する中間取付部と、を備え、前記本体は、長手方向における中間部に設けられた本体側係合部を有し、前記中間取付部は、前記本体側係合部と係合して前記本体の前面から離れる方向への当該中間取付部の移動を規制する中間係合部を有することを特徴とする。
【０００７】
この構成によると、前面パネルは中間取付部を介して室内機の本体に取り付けられる。そのため、前面パネルを前記本体に取り付けるための係合部等を、当該前面パネルに設ける必要はなく、設計の自由度が増す。
また、中間取付部が前面パネルに係合されているため、例えば、両面テープ等の粘着手段のみを用いて中間取付部を前面パネルに固定する場合に比べ、固定力が向上する。また、粘着力の低下により前面パネルが落下するおそれもない。
更に、本体の長手方向の中間部において当該本体と中間取付部とが係合されるため、両端部のみで前面パネルを本体に係合させる場合に比べて、長手方向の中間部における前面パネルの浮きが防止される。
【０００８】
第２の発明の空気調和機の室内機は、前記本体の前面における長手方向の中間部に設けられた表示部を備え、前記本体側係合部は、前記長手方向における両端部よりも前記表示部に近い位置に設けられていることを特徴とする。
【０００９】
本願発明者は、上述したように前面パネルの長手方向の中間部が、本体の前面から浮いてしまい、室内機の意匠性を損なうという課題を知見するとともに、表示部を本体の前面に備える室内機においては、前面パネルが、本体の前面から過度に浮いてしまうと、表示部による表示が外部から見えにくくなり特に問題となることを知見した。
この点、第２の発明によれば、本体の長手方向における両端部よりも表示部に近い位置において当該本体と中間取付部とが係合されるため、両端部のみで前面パネルを本体に係合させる場合に比べ、表示部からの前面パネルの浮きが防止される。これにより、表示部による表示が見にくくなることを防止できる。
【００１０】
第３の発明の空気調和機の室内機は、前記中間取付部の前記前面パネルに対する係合部は、前記前面パネルが閉の際に、前方、側方および下方から視認できない位置で前記前面パネルに係合していることを特徴とする。
【００１１】
この構成によると、前面パネルが閉のときは、使用者から中間取付部と前面パネルとの間の係合部が視認できないので、当該係合部により意匠性が損なわれることはない。
【００１２】
第４の発明の空気調和機の室内機は、前記前面パネルは、透明部材で構成され、当該前面パネルの裏面に、前記中間取付部が前面から見えなくなる色彩が付された意匠層が設けられており、前記意匠層は、前記表示部からの光が通過可能な層であることを特徴とする。
【００１３】
この構成によると、前面パネルが透明部材で構成されることにより、視覚を通じて透明部材特有の美感を起こさせることができる。
また、前面パネルの裏面には意匠層が設けられているので、中間取付部が前面から前面パネル越しに見えてしまうことはなく、意匠性が損なわれることはない。
ここで、本体に係合させるための係合部を前面パネルに一体成型することも考えられるが、前面パネルを透明部材により構成し、裏面に意匠層を設ける構成においては、上記係合部に対向する表側の部分と他の平面状部分との視覚的効果に差がでることが多い。そして、この視覚的効果の差があまりにも大きいと、前面パネル全体としての意匠性が損なわれるおそれがある。
この点、第４の発明に係る室内機においては、中間取付部を前面パネルと別体として設けることにより、一体成型する場合の上記課題を解決している。
【００１４】
第５の発明の空気調和機の室内機は、前記中間係合部は、前記表示部に前記意匠層が当接した状態で、前記本体の前面から離れる方向への前記中間取付部の移動を規制することを特徴とする。
【００１５】
この構成によると、表示部と意匠層との間に隙間が空くことにより、意匠層の表面で表示部から発せられる光が反射して、表示部の表示が外部から見えにくくなることを防止できる。
【００１６】
第６の発明の空気調和機の室内機は、前記本体側係合部および前記中間係合部は、前記長手方向における前記表示部の両側に設けられていることを特徴とする。
【００１７】
この構成によると、前面パネルの表示部近傍部分における本体の前面からの浮きをより確実に防ぐことができる。
【００１８】
第７の発明の空気調和機の室内機は、前記中間取付部は、前記中間係合部を有する第１取付板と、一対の第２取付板とを有して構成され、前記第１取付板は、前記長手方向における略中央部に配置されて当該前面パネルの上部に係合する本体板部と、当該本体板部から前記長手方向の両側に向かってそれぞれ延びる一対の延設部と、を有し、前記第２取付板は、前記前面パネルの裏面との間に前記延設部を挟んで前記前面パネルに係合することを特徴とする。
【００１９】
この構成によると、中間取付部が、第１取付板と一対の第２取付板とを有する複数の部材により構成されるので、一部材として中間取付部を構成する場合に比べて、設計の自由度が増し、製造が容易になる。
【００２０】
第８の発明の空気調和機の室内機は、前記前面パネルは、前面板部と、前記前面板部における上部において前記本体側に屈曲する上面板部と、前記長手方向の両端部において前記本体側に屈曲する一対の側面板部と、前記側面板部の下部において当該側面板部の裏面側に折り返された折り返し部と、を有し、前記中間取付部は、前記上面板部に設けられた係合部および前記折り返し部に設けられた係合部に対して係合することで前記前面パネルに固定されていることを特徴とする。
【００２１】
この構成によると、前記中間取付部は、上面板部と一対の側面板部の下部に設けられた折り返し部とに係合するので、例えば、上面板部にのみ係合する場合に比べて、前面パネルへの固定力が増す。
また、前面パネルの側面板部の裏側に位置する折り返し部に係合部が位置するため、側方から当該係合部が視認されることを確実に防止することができる。したがって、当該係合部により意匠性が損なわれることはない。
【発明の効果】
【００２２】
以上の説明に述べたように、本発明によれば、以下の効果が得られる。
【００２３】
第１の発明では、前面パネルは中間取付部を介して室内機の本体に取り付けられる。そのため、前面パネルを前記本体に取り付けるための係合部等を、当該前面パネルに設ける必要はなく、設計の自由度が増す。
また、中間取付部が前面パネルに係合されているため、例えば、両面テープ等の粘着手段のみを用いて中間取付部を前面パネルに固定する場合に比べ、固定力が向上する。また、粘着力の低下により前面パネルが落下するおそれもない。
更に、本体の長手方向の中間部において当該本体と中間取付部とが係合されるため、両端部のみで前面パネルを本体に係合させる場合に比べて、長手方向の中間部における前面パネルの浮きが防止される。
【００２４】
第２の発明では、本体の長手方向における両端部よりも表示部に近い位置において当該本体と中間取付部とが係合されるため、両端部のみで前面パネルを本体に係合させる場合に比べ、表示部からの前面パネルの浮きが防止される。これにより、表示部による表示が見にくくなることを防止できる。
【００２５】
第３の発明では、前面パネルが閉のときは、使用者から中間取付部と前面パネルとの間の係合部が視認できないので、当該係合部により意匠性が損なわれることはない。
【００２６】
第４の発明では、前面パネルが透明部材で構成されることにより、視覚を通じて透明部材特有の美感を起こさせることができる。
また、前面パネルの裏面には意匠層が設けられているので、中間取付部が前面から前面パネル越しに見えてしまうことはなく、意匠性が損なわれることはない。
【００２７】
第５の発明では、表示部と意匠層との間に隙間が空くことにより、意匠層の表面で表示部から発せられる光が反射して、表示部の表示が外部から見えにくくなることを防止できる。
【００２８】
第６の発明では、前面パネルの表示部近傍部分における本体の前面からの浮きをより確実に防ぐことができる。
【００２９】
第７の発明では、中間取付部が、第１取付板と一対の第２取付板とを有する複数の部材により構成されるので、一部材として中間取付部を構成する場合に比べて、設計の自由度が増し、製造が容易になる。
【００３０】
第８の発明では、前記中間取付部は、上面板部と一対の側面板部の下部に設けられた折り返し部とに係合するので、例えば、上面板部にのみ係合する場合に比べて、前面パネルへの固定力が増す。
【発明を実施するための最良の形態】
【００３１】
以下、図面を参照しつつ、本発明の実施形態にかかる空気調和機の室内機について説明する。尚、この室内機は壁掛け型のものであり、室外に設置される室外機に接続されて空気調和機を構成する。
【００３２】
〔基本構成〕
図１は、本発明の実施形態に係る室内機１を前方斜め上から見た模式的斜視図。
図２は、図１に示す室内機１を前方から見た模式図である。
図３は、図２に示す室内機１のＡ−Ａ断面模式図である。
図４は、図２に示す室内機１の前面パネル２０を取り外した模式図である。
【００３３】
図１に示すように、本実施形態の室内機１は、全体として一方向に細長い形状を有しており、その長手方向が水平となるように室内の壁面に取り付けられるものである。尚、以下の説明において、室内機１の長手方向を単に「長手方向」と称する。また、室内機１が取り付けられる壁から突出する方向を「前方」と称し、その反対の方向を「後方」と称する。
【００３４】
この室内機１は、本体ユニット１０（本体）と、本体ユニット１０の前面に取り付けられる前面パネル２０と、を有して構成される。後述するように、前面パネル２０は、第１取付板３１及び一対の第２取付板３２Ｌ・３２Ｒとからなる中間取付部を介して、本体ユニット１０の前面に開閉可能に取り付けられている。
【００３５】
〔本体ユニット〕
図３に示すように、本体ユニット１０は、本体ケーシング１１と、室内熱交換器１２と、クロスフローファン１３と、電装品ユニット１４と、フィルタユニット１５と、清掃ユニット１６と、前面グリル１７とを有して構成される。
【００３６】
室内熱交換器１２、クロスフローファン１３、電装品ユニット１４、及びフィルタユニット１５は、本体ケーシング１１に取り付けられている。
【００３７】
電装品ユニット１４は、商用電源（交流１００Ｖ又は交流２００Ｖ）に接続される電源入力部としての端子盤、交流回路部、直流高圧回路部、直流低圧回路部、ＣＰＵ制御部等の電装品と、当該電装品を内部に収容する電装品箱４１と、当該電装品箱４１の前面に取り付けられた発光表示部４２（図４参照）と、を有して構成される。
【００３８】
電装品箱４１は、本体ユニット１０の長手方向に細長く延びる略直方体状の外形を有しており、内部に収容された電装品の周囲を覆うケースである。当該電装品箱４１は、ドレンパン１１ｃの前方の位置において、本体ユニット１０の長手方向に延びるドレンパン１１ｃと略平行に並んだ状態で、発光表示部４２を前方に向けて配置されている。
【００３９】
発光表示部４２は、複数並べて設置されたＬＥＤを有し、これらのＬＥＤが発光して所定の文字等を表示することが可能な表示部である。当該発光表示部４２の前方は前面パネル２０により覆われることになるが、当該前面パネル２０を透過する光を発することで、外部から発光表示部４２の表示を視認することが可能である。
【００４０】
尚、この発光表示部４２は、電装品箱４１の前面よりも前方に突出するように設けられている。即ち、発光表示部４２の表示面が電装品箱４１の前面よりも前方に配置される。これにより、前面パネル２０の裏面を当該発光表示部４２の表示面に確実に密着させることができ、結果として発光表示部４２の表示が外部から視認しやすくなる。
【００４１】
前面グリル１７は、室内熱交換器１２、クロスフローファン１３、電装品ユニット１４、及びフィルタユニット１５等の構成部材を覆うように本体ケーシング１１の前面に取り付けられている。
【００４２】
室内熱交換器１２は、本体ケーシング１１に対して、前側熱交換器１２ａと後側熱交換器１２ｂとを逆Ｖ字状に配置して構成されたプレートフィン形の熱交換器である。尚、本実施形態の室内機１においては、前側熱交換器１２ａの前面に補助熱交換器１２ｃが取り付けられている。また、後側熱交換器１２ｂの後面に補助熱交換器１２ｄが取り付けられている。補助熱交換器１２ｃ及び補助熱交換器１２ｄは、冷媒と空気との熱交換を助長するためのものである。
【００４３】
図１に示すように、前面グリル１７には、天井部分に天面吸込口１７ａが形成されている。当該天面吸込口１７ａは前面グリル１７の天井部分を格子状にして形成されている。
また、図４に示すように、前面グリル１７の前側上部には、前側開口１７ｂ、１７ｃが形成されている。前側開口１７ｂ、１７ｃは、それぞれ一の開口として形成されている。
また、前面グリル１７には、これらの前側開口１７ｂ、１７ｃの下方に室内機１の長手方向と平行に延びる開口部１７ｄが形成されている。この開口部１７ｄには、清掃ユニット１６が嵌め込まれている。
また、前面グリル１７には、長手方向中央部において、開口部１７ｄの下方に、発光表示部４２を前方に露出させるための開口部１７ｅが形成されている。当該開口部１７ｅは、発光表示部４２の前面形状と略対応する形状で形成され、当該発光表示部４２が、前面グリル１７の内側から外側に向かって挿入されている。
【００４４】
図１に示すように、前面パネル２０を閉じた状態で、前面グリル１７の天面吸込口１７ａ、及び、前面パネル２０の上部に位置する前側吸込口２０ａから、外部の空気が当該前面グリル１７の内部へ吸い込まれる。
【００４５】
図３に示すように、室内熱交換器１２の逆Ｖ字状の内側には、クロスフローファン１３が設けられている。このクロスフローファン１３は軸流ファンと呼ばれているもので、その軸方向が室内機１の長手方向に沿うように配置されている。本体ケーシング１１には、クロスフローファン１３の背後において、湾曲した壁面を有して構成されるスクロール部１１ａが形成されている。当該スクロール部１１ａにより、クロスフローファン１３から前面グリル１７の前面側下部に開口する吹出口１７ｆへ空気を滑らかに導くことができる。
【００４６】
本体ケーシング１１は、吹出口１７ｆの上側に位置するように上側壁面１１ｂを有する。当該上側壁面１１ｂは、前側熱交換器１２ａの下方に位置するドレンパン１１ｃと一体に成形されている。
【００４７】
ドレンパン１１ｃと前面パネル２０との間の位置には、電装品ユニット１４が配置されている。また、後側熱交換器１２ｂの下方には、後側ドレンパン１１ｄが配置されている。
【００４８】
本体ケーシング１１、前面グリル１７、及び前面パネル２０は、横長のものである。また、吹出口１７ｆは、前面グリル１７の長手方向に沿って延びるように形成されている。
【００４９】
室内機１においては、上面の天面吸込口１７ａ及び前側吸込口２０ａからクロスフローファン１３によって吸い込まれた室内空気を室内熱交換器１２に通過させ冷媒との間で熱交換させることにより、当該空気の冷却又は加熱が行われる。熱交換後の当該空気は、下面の吹出口１７ｆから室内へと吹出される。
【００５０】
フィルタユニット１５は長手方向に並んで設けられた一対のエアフィルタ５１（図３において２点鎖線で模式的に示す。図１、図４においては省略。）と、当該エアフィルタ５１を移動させるためのピニオン５２と、を備えている。当該一対のエアフィルタ５１は、天面吸込口１７ａ及び前側開口１７ｂ、１７ｃに対向する位置に配置されており、天面吸込口１７ａ又は前側開口１７ｂ、１７ｃを通過する空気に混在する埃等を取り除くことができる。
【００５１】
清掃ユニット１６は、室内機１の長手方向に延びるとともに、当該長手方向に延びる軸周りに回転するブラシ６１と、ブラシ６１についた埃を掻き出すための櫛６２と、当該櫛６２の前方に近接して設けられ室内機１の長手方向に延びて回転する圧縮ローラ６３と、圧縮ローラ６３と櫛６２との間で圧縮された埃が収納されるダストボックス６４と、を備えている。
尚、当該清掃ユニット１６は、ブラシ６１がフィルタユニット１５のエアフィルタ５１に当接した状態で保持されるように、前面グリル１７の外側から、当該前面グリル１７の前面に嵌め込まれている。
【００５２】
エアフィルタ５１には、ピニオン５２外周と噛み合う柔軟性のあるラック（図示せず）が設けられている。当該ピニオン５２の回転により、エアフィルタ５１は、ブラシ６１に表面を当接させながら裏面側に巻き込まれるように移動される。このときエアフィルタ５１に付着した埃等は、ブラシ６１により取り除かれるとともに、当該埃等は圧縮ローラ６３により圧縮されてダストボックス６４に収納される。
【００５３】
〔前面パネル〕
以下、前面パネル２０、第１取付板３１及び一対の第２取付板３２Ｌ・３２Ｒの構成について詳しく説明する。
【００５４】
図５は、前面パネル２０および第１取付板３１及び一対の第２取付板３２Ｌ・３２Ｒを示す斜視模式図である。
図６は、図５に示す前面パネル２０等を、裏側から見た斜視模式図である。
図７は、図６に示す前面パネル２０の長手方向端部の拡大図である。
図８は、図６に示す第２取付板３２Ｒの拡大図である。
図９及び図１０は、それぞれ、図６に示す第１取付板３１及び一対の第２取付板３２Ｌ・３２Ｒを前面パネル２０に固定した状態を示す斜視模式図及び裏面側平面図である。
【００５５】
図５及び図６に示すように、前面パネル２０は、前面板部２１と、上面板部２２と、側面板部２３と、折り返し部２４とが一体成型されたものである。また、この前面パネル２０は、透明の樹脂材料から成型された透明なパネルの裏面（本体ユニット１０側に対向する面）に塗装が施されたものである。この透明な樹脂材料としては、例えば、透明なＡＢＳやポリスチレンなどが挙げられる。また、塗装されてできる塗装層（意匠層）は、第１取付板３１及び第２取付板３２Ｌ・３２Ｒが前面パネル２０越しに見えなくなるような色彩を有する層である。また、当該塗装層は電装品箱４１に設けられた発光表示部４２の光を透過可能な層である。
【００５６】
前面板部２１は、前方から見て略長方形状に形成され、本体ユニット１０の前面に沿って配置されるように、上半面に対して下半面がやや本体側に傾斜した形状となっている。
【００５７】
上面板部２２は、前面板部２１の上端から本体ユニット１０側に向かって、当該前面板部２１に対して略垂直に延出している。上面板部２２は、前面板部２１の長手方向全域に設けられ、側面板部２３の上端にも連続している。また、上面板部２２には、８つの係合穴２２ａ、２２ｂ、２２ｃ、２２ｄ、２２ｅ、２２ｆ、２２ｇ、２２ｈが設けられている。
【００５８】
尚、これらの係合穴２２ａ〜２２ｈは、上面板部２２を貫通するものであり、係合穴２２ａ、２２ｂ、２２ｃ、２２ｄと、係合穴２２ｈ、２２ｇ、２２ｆ、２２ｅ、とは、それぞれ上面板部２２の長手方向中央に対して対称的に設けられている。
【００５９】
係合穴２２ａ及び係合穴２２ｈは、前面板部２１と側面板部２３との角部に近接する位置に設けられている。
また、係合穴２２ｂ及び係合穴２２ｇは、前面板部２１と側面板部２３との角部から長手方向中央側に向かってわずかに離れた位置に設けられている。
また、係合穴２２ｃ及び係合穴２２ｆは、前面板部２１と側面板部２３との角部から長手方向中央側に向かって、上面板部２２の長手方向における長さの約１／８に相当する距離だけ離れた位置に形成されている。
また、係合穴２２ｄ及び係合穴２２ｅは、他の係合穴よりも上面板部２２の長手方向中央に近い位置に配置されており、それぞれ長手方向中央から、当該上面板部２２の長手方向における長さの約１／８に相当する距離だけ離れた位置に形成されている。つまり、当該係合穴２２ｄと係合穴２２ｅの間隔は、上面板部２２の長手方向における長さの約１／４となっている。
【００６０】
側面板部２３は、前面板部２１の長手方向両端から屈曲し、本体ユニット１０側に向かって、前面板部２１と略垂直に延びている。
【００６１】
折り返し部２４は、側面板部２３の下端において当該側面板部２３の裏面側に折り返された部分であり、図７に示すように、下側の面を形成する折り返し底部２５と側面板部２３と略平行に並ぶ折り返し側面部２６とを有する。つまり、側面板部２３と、折り返し底部２５と、折り返し側面部２６とにより、上方が開放された溝Ｄが形成される。
また、折り返し側面部２６には、係合穴２６ａが貫通している。
【００６２】
次に、第１取付板３１及び第２取付板３２Ｌ・３２Ｒについて説明する。尚、第１取付板３１及び一対の第２取付板３２Ｌ・３２Ｒとにより、前面パネル２０を本体ユニット１０に取り付けるための中間取付部が構成される。
【００６３】
図５及び図６に示すように、第１取付板３１は、本体板部３３と一対の延設部３４とが一体的に設けられた板状部材である。
【００６４】
本体板部３３は、前面パネル２０の長手方向中央部に取り付けられる部分であって、下側において前面パネル２０の長手方向と略平行に延びる略長方形状の開口３３ａが形成されている。尚、当該開口３３ａは、発光表示部４２の前面形状と略対応するように、当該発光表示部４２を挿入可能な大きさで形成されている。
本体板部３３は、前面パネル２０の長手方向における両側に、長手方向中間部よりも上方に長く延びる部分を有し、一対の当該部分の先端には、それぞれ、上方に向かって突出する突部３３ｄ、３３ｅが形成されている。
本体板部３３は、一対の突部３３ｄ、３３ｅの間隔が、前面パネル２０に形成された係合穴２２ｄと係合穴２２ｅとの間隔に等しくなるように構成されている。
また、本体板部３３裏面の開口３３ａを挟んだ両側には、本体ユニット１０側に突出する一対の中間係合部３３ｂが設けられている。当該中間係合部３３ｂは、先端側が、突出方向に対して垂直な方向（本実施形態においては、本体ユニット１０の長手方向）に膨らんだ形状となっている。
【００６５】
一対の延設部３４は、本体板部３３から両側に延びる部分である。当該一対の延設部３４は、本体板部３３の一対の突部３３ｄ、３３ｅが、それぞれ、前面パネル２０の係合穴２２ｄ、２２ｅに差し込まれた状態で、前面パネル２０の側面板部２３の近傍までそれぞれ延びるように形成されている。また、延設部３４は、先端において本体ユニット１０側（裏面側）に屈曲した屈曲部３４ａを有している。
【００６６】
次に一対の第２取付板３２Ｌ・３２Ｒについて説明する。尚、一対の第２取付板３２は互いに略対称形状であるため、室内機の前面から見て右側の第２取付板３２Ｒについて説明し、左側の第２取付板３２Ｌについては異なる部分のみ説明する。
【００６７】
図５、図６及び図８に示すように、第２取付板３２Ｒは、平面視略Ｌ字状に形成された板状部材であり、上面板部２２に沿って配置される第１板部３５と、側面板部２３に沿って配置される第２板部３６と、を有している。第２取付板３２のＬ字状の板状部分の角部近傍に本体ユニット１０側に突出する係合部３８が設けられている。
【００６８】
係合部３８は、第１板部３５の長手方向と略垂直な板状となるように形成されている。そして、当該係合部３８は、第１板部３５の長手方向内側に向かって突出する突部３８ａと、突部３８ａを中心とする円弧状に延びる溝３８ｂとを有している。
【００６９】
第１板部３５の上端には、上方に向かって突出する突部３５ｆ、３５ｇ、３５ｈが設けられている。突部当該突部３５ｆ、３５ｇ、３５ｈは、それぞれ、前面パネル２０の上面板部２２に設けられた係合穴２２ｆ、２２ｇ、２２ｈに嵌め込むことが可能な形状となっている。尚、もう一方の第２取付板３２Ｌにおける対応する位置にはそれぞれ突部３５ｃ、３５ｂ、３５ａが設けられている。
【００７０】
第２板部３６の下部近傍には、前面パネル２０に対向する面に、凹部３６ａが形成されている。当該凹部３６ａは、当該第２板部３６の短手方向の全域に亘って設けられており、側面板部２３側に向かって深くなるように段部が形成されている。当該凹部３６ａは前述の延設部３４の屈曲部３４ａを嵌め込むことができる形状となっている。
【００７１】
第２板部３６の長手方向中間部には、裏面側に突出するように係合部３９ｒが設けられている。当該係合部３９ｒは、突出方向先端にて下方に凸となる部分を有している。第２取付板３２Ｒにおいては、当該係合部３９ｒは、凹部３６ａよりも上方に位置するように設けられている。一方、第２取付板３２Ｌにおいては、凹部３６ａよりも下方に位置するように、当該係合部３９ｒと略同形状の係合部３９ｌが設けられている。
【００７２】
また、第２板部３６の下端には、本体ユニット１０側に突出するように板状部分３７が設けられている。図８に示すように、板状部分３７は、第１板部３５の長手方向と略垂直に設けられている。当該板状部分３７は、前面パネル２０の側面板部２３と折り返し部２４とで形成される溝Ｄに嵌め込むことができる程度の厚さを有する。この板状部分３７における側面板部２３に対向する面とは逆側の面には突部３７ａが設けられている。
【００７３】
＜取付板の前面パネルへの取り付け方法＞
次に、第１取付板３１と一対の第２取付板３２の前面パネル２０への取り付け方について説明する。
【００７４】
まず、図６（取付前）、図９及び図１０（取付後）に示すように、第１取付板３１の上端に形成された一対の突部３３ｄ、３３ｅを、前面パネル２０の上面板部２２に形成された係合穴２２ｄ、２２ｅにそれぞれ挿入し、第１取付板３１の前面（中間係合部３３ｂが突出する側の面とは逆側の面）が、前面パネル２０の裏面に密着するように配置される。前面パネル２０の前面板部２１は下端において本体ユニット１０側に湾曲しており、第１取付板３１は、当該湾曲した部分２１ａと上面板部２２とにより挟まれた状態で保持される。尚、両面テープ等を更に用いて第１取付板３１を前面パネル２０に固定してもよい。
【００７５】
次に、第２取付板３２Ｌ・３２Ｒを前面パネル２０の裏面に取り付ける。
第２取付板３２Ｒは、上端の突部３５ｆ、３５ｇ、３５ｈを、それぞれ上面板部２２の係合穴２２ｆ、２２ｇ、２２ｈに挿入され、下端の板状部分３７を折り返し部２４と側面板部２３とで形成される溝Ｄに嵌め込まれ、当該板状部分３７の側面から突出する突部３７ａを、折り返し部２４の係合穴２６ａに嵌め込むことで、前面パネル２０に固定される。このとき第２取付板３２Ｒの凹部３６ａに第１取付板３１の延設部３４の先端の屈曲部３４ａ及びその近傍部がはまり込んで固定される。
第２取付板３２Ｌについても上端の突部が、係合穴２２ａ、２２ｂ、２２ｃに挿入され、第２取付板３２Ｒと同様に前面パネル２０に対して固定される。
【００７６】
＜前面パネルの本体ユニットへの取り付け方法＞
次に、前面パネル２０の本体ユニット１０への取り付け方について説明する。
図９及び図１０に示すように、第１取付板３１と一対の第２取付板３２Ｌ・３２Ｒとが固定された前面パネル２０は、以下のようにして、本体ユニット１０に取り付けられる。
【００７７】
ここで、図４に示すように、本体ユニット１０の前面には、係合穴１０ａ、１０ｂ、１０ｃ、１０ｄ、１０ｅ、１０ｆが設けられている。
係合穴１０ａ、１０ｂは、前面グリル１７の前面における長手方向両端の上部に形成されている。
また、係合穴１０ｃ、１０ｄは、前面グリル１７の前面における長手方向両端の下部に形成されている。尚、前方から見て左側の係合穴１０ｃは、前方から見て右側の係合穴１０ｄよりも低い位置に設けられている。
また、係合穴１０ｅ、１０ｆは、前面グリル１７の前面における開口部１７ｅの両側に設けられている。
【００７８】
まず、前面パネル２０を、上端が下端よりも本体ユニット１０に近づくように斜めに傾けた状態で、第２取付板３２Ｌ・３２Ｒのそれぞれの係合部３８が、本体ユニット１０の前面の係合穴１０ａ、１０ｂに挿入される。このとき第２取付板３２Ｌ・３２Ｒの突部３８ａ（図８参照）が係合穴１０ａ、１０ｂの内面に形成された凹部に回動自在に係合されるとともに、係合穴１０ａ、１０ｂの内面に形成された凸部が溝３８ｂ（図８参照）に対して溝３８ｂに沿って移動可能に係合される。これにより、第２取付板３２Ｌ・３２Ｒの突部３８ａを支点として前面パネル２０が揺動可能となる。
【００７９】
その後、前面パネル２０の下端を本体ユニット１０の前面に近づけながら、第２取付板３２Ｌ・３２Ｒの係合部３９ｌ、３９ｒを、それぞれ、本体ユニット１０の前面の係合穴１０ｃ、１０ｄに挿入する。同時に、第１取付板３１の一対の中間係合部３３ｂを、それぞれ、本体ユニット１０の係合穴１０ｅ、１０ｆに挿入する。
【００８０】
このように前面パネル２０の姿勢を傾斜状態から本体ユニット１０の前面に密着した状態まで移行させることで係合部３８が、係合穴１０ａ、１０ｂに対して係合し、当該係合部３８の前方への移動が規制される。
また、係合部３９ｌ、３９ｒは、係合穴１０ｃ、１０ｄに押し込まれることで、当該係合穴１０ｃ、１０ｄに対して係合し、当該係合部３９ｌ、３９ｒの抜出方向への移動が規制される。
同様に、一対の中間係合部３３ｂは、係合穴１０ｅ、１０ｆに押し込まれることで、当該係合穴１０ｅ、１０ｆに対して係合し、当該一対の中間係合部３３ｂの抜出方向への移動が規制される。
【００８１】
尚、前面パネル２０の裏面が発光表示部４２の前面に当接するまで、一対の中間係合部３３ｂを当該係合穴１０ｅ、１０ｆに押し込むことで、一対の中間係合部３３ｂが当該係合穴１０ｅ、１０ｆに係合するように構成されている。これにより、前面パネル２０の裏面が発光表示部４２の前面に当接した状態を保持することができる。
【００８２】
また、図２に示すように、前面パネル２０が閉じた状態では、室内機１の長手方向両端に位置する一対の折り返し部２４の間には、本体ユニット１０の下端部が配置される。したがって、折り返し部２４における係合穴２６ａが形成されている面（図７参照）は、本体ユニット１０の下端部に覆われ、外部から視認されない。
【００８３】
以上説明したように、本実施形態に係る室内機１は、本体ユニット１０の前面に取り付けられる開閉可能な前面パネル２０と、前面パネル２０の裏面に係合して固定されるとともに、当該前面パネル２０が閉の際に本体ユニット１０の前面に係合する第１取付板３１及び第２取付板３２Ｌ・３２Ｒと、を備える。
本体ユニット１０は、長手方向における中間部に設けられた係合穴１０ｅ、１０ｆを有し、第１取付板３１は、係合穴１０ｅ、１０ｆと係合して本体ユニット１０の前面から離れる方向への当該第１取付板３１の移動を規制する一対の中間係合部３３ｂを有する。
【００８４】
この構成によると、前面パネル２０は第１取付板３１及び第２取付板３２Ｌ・３２Ｒを介して室内機１の本体ユニット１０に取り付けられる。そのため、前面パネル２０を本体ユニット１０に取り付けるための係合部等を、当該前面パネル２０に設ける必要はなく、設計の自由度が増す。
また、第１取付板３１及び第２取付板３２Ｌ・３２Ｒ中が前面パネル２０に係合されているため、例えば、両面テープ等の粘着手段のみを用いて第１取付板３１及び第２取付板３２Ｌ・３２Ｒを前面パネル２０に固定する場合に比べ、固定力が向上する。また、粘着力の低下により前面パネル２０が落下するおそれもない。
更に、本体ユニット１０の長手方向の中間部において当該本体ユニット１０と第１取付板３１とが係合されるため、両端部のみで前面パネル２０を本体に係合させる場合に比べて、長手方向の中間部における前面パネル２０の浮きが防止される。
【００８５】
また、本実施形態に係る室内機１は、本体ユニット１０の前面における長手方向の中間部に設けられた発光表示部４２を備え、係合穴１０ｅ、１０ｆは、本体ユニット１０の長手方向における両端部よりも発光表示部４２に近い位置に設けられている。
【００８６】
この構成によれば、本体ユニット１０の長手方向における両端部よりも発光表示部４２に近い位置において本体ユニット１０と第１取付板３１とが係合されるため、両端部のみで前面パネル２０を本体ユニット１０に係合させる場合に比べ、発光表示部４２からの前面パネル２０の浮きが防止される。これにより、発光表示部４２による表示が見にくくなることを防止できる。
【００８７】
また、本実施形態に係る室内機１は、第１取付板３１及び第２取付板３２Ｌ・３２Ｒの前面パネル２０に対する係合部（突部３３ｄ、３３ｅ、３５ａ〜３５ｃ、３５ｆ〜３５ｈ、３７ａ）は、前面パネル２０が閉の際に、前方、側方および下方から視認できない位置で前面パネル２０に係合している。
【００８８】
この構成によると、前面パネル２０が閉のときは、使用者から第１取付板３１及び第２取付板３２Ｌ・３２Ｒと前面パネル２０との間の係合部が視認できないので、当該係合部により意匠性が損なわれることはない。
【００８９】
また、本実施形態に係る室内機１は、前面パネル２０は、透明部材で構成され、前面パネル２０の裏面に、第１取付板３１及び第２取付板３２Ｌ・３２Ｒが前面から見えなくなる色彩が付された意匠層が設けられている。当該意匠層は、発光表示部４２からの光が通過可能な層である。
【００９０】
この構成によると、前面パネル２０が透明部材で構成されることにより、視覚を通じて透明部材特有の美感を起こさせることができる。
また、前面パネル２０の裏面には意匠層が設けられているので、第１取付板３１及び第２取付板３２Ｌ・３２Ｒが前面から前面パネル２０越しに見えてしまうことはなく、意匠性が損なわれることはない。
ここで、本体ユニット１０に係合させるための係合部を前面パネル２０に一体成型することも考えられるが、前面パネル２０を透明部材により構成し、裏面に意匠層を設ける構成においては、上記係合部に対向する表側の部分と他の平面状部分との視覚的効果に差がでることが多い。そして、この視覚的効果の差があまりにも大きいと、前面パネル２０全体としての意匠性が損なわれるおそれがある。
この点、本実施形態に係る室内機１においては、本体ユニット１０と係合する第１取付板３１及び第２取付板３２Ｌ・３２Ｒを、前面パネル２０と別体として設けることにより、一体成型する場合の上記課題を解決している。
【００９１】
また、本実施形態に係る室内機１は、第１取付板３１及び第２取付板３２Ｌ・３２Ｒは、発光表示部４２に意匠層が当接した状態で、本体ユニット１０の前面から離れる方向への第１取付板３１及び第２取付板３２Ｌ・３２Ｒの移動を規制する。
【００９２】
この構成によると、発光表示部４２と意匠層との間に隙間が空くことにより、意匠層の表面で表示部から発せられる光が反射して、発光表示部４２の表示が外部から見えにくくなることを防止できる。
【００９３】
また、本実施形態に係る室内機１は、本体ユニット１０側係合部および第１取付板３１は、前記長手方向における発光表示部４２の両側に設けられていることを特徴とする。
【００９４】
この構成によると、前面パネル２０の発光表示部４２近傍部分における本体ユニット１０の前面からの浮きをより確実に防ぐことができる。
【００９５】
また、本実施形態に係る室内機１は、第１取付板３１と、一対の第２取付板３２Ｌ・３２Ｒとを有して構成され、第１取付板３１は、前面パネル２０の長手方向における略中央部に配置されて当該前面パネル２０の上部に係合する本体板部３３と、当該本体板部３３から前面パネル２０の長手方向の両側に向かってそれぞれ延びる一対の延設部３４と、を有する。
第２取付板３２Ｌ・３２Ｒは、前面パネル２０の裏面との間に延設部３４の先端を挟んで前面パネル２０に係合する。
【００９６】
この構成によると、複数の部材（第１取付板３１及び一対の第２取付板３２Ｌ・３２Ｒ）を介して、前面パネル２０が本体ユニット１０の前面に取り付けられるため、一つの部材を介して前面パネル２０を本体ユニット１０に取り付ける構成と比較して、前面パネル２０と本体ユニット１０との間に介在する中間取付部の設計の自由度が増し、製造が容易になる。
【００９７】
また、本実施形態に係る室内機１は、前面パネル２０は、前面板部２１と、前面板部２１における上部において本体ユニット１０側（裏面側）に屈曲する上面板部２２と、当該前面パネル２０の長手方向の両端部において本体ユニット１０側に屈曲する一対の側面板部２３と、側面板部２３の下部において当該側面板部２３の裏面側に折り返された折り返し部２４と、を有する。
一対の第２取付板３２Ｌ・３２Ｒは、上面板部２２に設けられた係合穴２２ａ〜２２ｃ、２２ｆ〜２２ｈ、および、折り返し部２４に設けられた係合穴２６ａに対して係合することで前面パネル２０に固定されている。
当該一対の第２取付板３２Ｌ・３２Ｒは、第１取付板３１の両側部分を押さえている。
【００９８】
この構成によると、第２取付板３２Ｌ・３２Ｒは、上面板部２２と一対の側面板部２３の下部に設けられた折り返し部２４とに係合するので、例えば、上面板部２２にのみ係合する場合に比べて、前面パネル２０への固定力が増す。
また、前面パネル２０の側面板部２３の裏側に位置する折り返し部２４に係合穴２６ａが位置し、当該係合穴２６ａに第２取付板３２Ｌ・３２Ｒの突部３７ａが係合するため、側方から当該係合穴２６ａ及び当該突部３７ａが視認されることを確実に防止することができる。したがって、当該係合穴２６ａ及び当該突部３７ａにより意匠性が損なわれることはない。
【００９９】
以上、本発明の実施形態について図面に基づいて説明したが、具体的な構成は、これらの実施形態に限定されるものではない。本発明の範囲は、上記した実施形態の説明ではなく特許請求の範囲によって示され、さらに特許請求の範囲と均等の意味および範囲内でのすべての変更が含まれる。
【０１００】
（１）発光表示部４２等の表示部を本体ユニット１０の前面に有さない室内機に本発明を適用してもよい。
【０１０１】
（２）前面パネル２０が透明パネルである場合に限定されない。例えば、前面パネルが非透明なパネルからなり、表示部が外側から視認できるように前面パネルに開口が設けられた室内機においても、前面パネルの表示部近傍部が浮くことで、室内側から見る角度によっては表示部の表示が見にくくなるおそれがある。この点、上述した本実施形態と同様に本体ユニットと前面パネルの裏面に固定された取付板との係合部を、本体ユニットの長手方向における両端部よりも表示部に近い位置に設けることで、表示部による表示が見にくくなることを防止できる。
【産業上の利用可能性】
【０１０２】
本発明を利用すれば、室内機の前面パネルが長手方向中間部において過度に浮いてしまうことを防止できる。
【図面の簡単な説明】
【０１０３】
【図１】本発明の実施形態に係る室内機を示す模式的斜視図。
【図２】図１に示す室内機の正面図。
【図３】図２に示す室内機のＡ−Ａ断面図。
【図４】図２に示す室内機の前面パネルを取り外した図。
【図５】前面パネルおよび取付板を示す斜視模式図。
【図６】図５に示す前面パネル等を、裏側から見た斜視模式図。
【図７】図６に示す前面パネルの長手方向端部の拡大図。
【図８】図６に示す第２取付板の拡大図。
【図９】図６に示す取付板を前面パネルに固定した状態を示す斜視模式図。
【図１０】図６に示す取付板を前面パネルに固定した状態を示す裏面側平面図。
【符号の説明】
【０１０４】
１  室内機
１０  本体ユニット（本体）
１０ｅ、１０ｆ  係合穴（本体側係合部）
２０  前面パネル
２１  前面板部
２２  上面板部
２２ａ〜２２ｈ  係合穴（係合部）
２３  側面板部
２４  折り返し部
２６ａ  係合穴（係合部）
３１  第１取付板（中間取付部）
３２Ｌ、３２Ｒ  第２取付板（中間取付部）
３３  本体板部
３３ｂ  中間係合部
３４  延設部
４２  発光表示部（表示部）
【図１】
2010065904.tif 000003
【図２】
2010065904.tif 000004
【図３】
2010065904.tif 000005
【図４】
2010065904.tif 000006
【図５】
2010065904.tif 000007
【図６】
2010065904.tif 000008
【図７】
2010065904.tif 000009
【図８】
2010065904.tif 000010
【図９】
2010065904.tif 000011
【図１０】
2010065904.tif 000012